(57)【要約】  基本的家具構造に対して変位し得る引出し１であって、引出しガイド６，７，８を介して、基本的家具構造の内部にある位置から、基本的家具構造の前方にある引出し位置へと変位し、引出し１は、両側に、それぞれ、基本的家具構造に固定されたラック３０と噛合していると共に、反対側のギヤホイール１０に結合されている少なくとも１つのギヤホイール１０を備えている。ラック３０は、枢動可能なレバー１１を介してそれぞれの場合に長さが延びることが可能であり、引出し１が引出し位置にてギヤホイール１０によって案内されることを確実にするようになっている。枢動可能なレバー１１は、引出しのゆがんだ位置を修正できるように、噛合するギヤホイール１０から係合解除し得る。これは、引出しがギヤホイールによって、引出しの全変位経路において、案内されることを確実にする。【選択図】  図２
2009517106.tif 000002
【特許請求の範囲】
【請求項１】
引出しガイド（６，７，８）を介して、基本的家具構造の内部の或る位置から、前記基本的家具構造の前方にある引出し位置へと、前記基本的家具構造に対して変位し得る引出し（１）であって、
両側に、それぞれの場合に、前記基本的家具構造に固定されたラック（３０）と噛合すると共に、反対側のギヤホイール（１０）に結合される少なくとも１つのギヤホイール（１０）を備え、
当該引出し（１）が引出し位置にて前記ギヤホイール（１０）によって確実に案内されるよう、前記ラック（３０）が、枢動可能なレバー（１１）を介してそれぞれの場合に長さが延びることが可能となっている、前記引き出し（１）において、
枢動可能な前記レバー（１１）は、当該引出し（１）のゆがんだ位置を修正できるように、噛合する前記ギヤホイール（１０）から係合解除し得ることを特徴とする引出し。
【請求項２】
前記レバー（１１）は、修正位置において、前記ギヤホイール（１０）から上昇され得ることを特徴とする請求項１に記載の引出し。
【請求項３】
前記レバー（１１）は、前記ギヤホイール（１０）と摺動要素（１５，１５’）との間に案内され、前記摺動要素（１５，１５’）は、修正位置において、前記レバー（１１）から離れるように動き得ることを特徴とする請求項１又は２に記載の引出し。
【請求項４】
前記摺動要素（１５）は、必要に応じて、前記レバー（１１）を前記ギヤホイール（１０）から係合解除させるために、前記レバー（１１）から離れるように手動で枢動できるレバー要素として設計されていることを特徴とする請求項３に記載の引出し。
【請求項５】
前記レバー（１１）を上昇させる手段（２０，２１）が設けられていることを特徴とする請求項１〜４のいずれか一項に記載の引出し。
【請求項６】
前記レバー（１１）に駆動体（２０）を設け、前記レバーを前記ギヤホイール（１０）から上昇させるために、前記駆動体にて、前記レバー（１１）を上昇させる前記手段（２１）が作用することを特徴とする請求項５に記載の引出し。
【請求項７】
当該引出しが修正位置へと動かされることにより、前記レバー（１１）を上昇させる前記手段（２０，２１）は、前記レバーを自動的に前記ギヤホイール（１０）から上昇させることを特徴とする請求項１〜６のいずれか一項に記載の引出し。
【請求項８】
修正位置は、当該引出し（１）が完全に引き出された位置であることを特徴とする請求項１〜７のいずれか一項に記載の引出し。
【請求項９】
噛合する前記ギヤホイール（１０）が前記基本的家具構造内に動くとき、前記レバー（１１）は前記基本的家具構造内に下方に枢動され得ることを特徴とする請求項１〜８のいずれか一項に記載の引出し。
【発明の詳細な説明】
【技術分野】
【０００１】
本発明は、引出しガイドを介して、基本的家具構造の内部の或る位置から、基本的家具構造の前方にある引出し位置へと、基本的家具構造に対して変位し得る引出しに関するものであり、この引出しは、両側に、それぞれ、基本的家具構造に固定されたラックと噛合する共に、反対側のギヤホイールに結合されている少なくとも１つのギヤホイールを備え、ラックは、枢動可能なレバーを介してそれぞれの場合に長さが延びることが可能であり、引出しが引出し位置にてギヤホイールによって確実に案内されるようになっている。
【背景技術】
【０００２】
欧州特許第５１２６１５号明細書は、引出しのための引出しガイドであって、この場合、走行運動を安定化させるために、両側にラックが設けられ、これらのラックは、軸を介して互いに結合されたギヤホイールと係合している。引出し位置において走行運動を安定化させ得るために、ラックはレバーによって長さを延ばされ、レバーは、引出しが基本的家具構造の前方の引出し位置にあるとき、ラックが長さを延ばせると共に、ギヤホイールと係合し得るように、枢動される。しかしながら、この場合には、据え付け中に又はその他の理由のために、ギヤホイールは、互いにオフセットし、引出しのゆがんだ位置は修正しなければならない。この設計の場合には、従って、複雑な据え付け作業を、この目的のために実行しなければならない。
【０００３】
欧州特許第１１４１６４０号明細書が開示している、冷蔵庫のための引出しガイドは、両側の長手側部にラックが設けられている場合で、これらのラックが引出しのギヤホイールと噛合しているとき、引出しの動きを同期させるようになっている。しかしながら、この引出しは、基本的家具構造の前方の位置までの全行程にわたって動かせない。引出しがゆがんだ位置にあるとき、押し込んだ位置において、修正が行われ、ラックとギヤホイールとの間の係合は解消され、この場合、引っ込めた位置における引出しのゆがんだ位置の結果、ジャムが生じることは不可能である。しかしながら、この場合にも、引出しは、もはや、引っ込めた位置の領域において、ギヤホイールによって同期しない。
【発明の開示】
【発明が解決しようとする課題】
【０００４】
従って、本発明の目的は、良好な走行特性を有すると共に、基本的家具構造の前方に変位することができ、必要に応じて、ゆがんだ位置の修正を可能とするような、引出しを提供することである。
【課題を解決するための手段】
【０００５】
この目的は、請求項１に記載の特徴を有する引出しによって達成される。
【０００６】
本発明によれば、引出しは、基本的家具構造の前方にある引出し位置に変位することができ、枢動可能なレバーを介して、ラックは長さを延ばすことが可能であり、引出し位置における案内を確実にし、枢動可能なレバーと噛合するギヤホイールとの間の係合を解消することで、必要に応じて、引出しのゆがんだ位置を修正することが可能になる。これは、引出しが、その全体変位経路にわたってギヤホイールによって案内されることを確保し、従って、良好な走行特性が得られるが、引出し位置におけるゆがんだ位置を修正することが可能であり、いかなる複雑な部品の分解をも必要としない。これは、対応する修正を許容するために、枢動可能なレバーが、ギヤホイールから容易に係合解除できるためである。
【０００７】
本発明の好ましい構成によれば、レバーは、修正位置において、ギヤホイールから上昇し得る。ここでの上昇動作は、手動的に又は自動的に行われる。
【０００８】
また、引出しがレバーの領域において良好に案内されるために、後者は好ましくは、ギヤホイールと摺動要素との間に案内され、摺動要素は、修正位置において、レバーから離れるように動き得る。ここで、摺動要素は、レバー要素として設計されており、レバーから遠ざかるように手動で枢動することができ、レバーがギヤホイールから係合解除するように、必要に応じて、レバーは解放されるようになっている。
【０００９】
本発明のさらに別の構成によれば、レバーを上昇させるための手段が提供される。従って、引出しが修正位置に動かされたとき、ギヤホイールとレバーとの間の係合が自動的に解消されることが可能になり、この場合、依然として必要であることは、引出しを適切に配置されることがすべてである。この目的のために、レバーに、それぞれ、駆動体を設け、駆動体において、レバーを上昇させる手段が作用して、レバーをギヤホイールから上昇させるようにすることが可能である。ここで、レバーを上昇させる手段は、引出しが修正位置に動かされるおかげで、自動的に操作される。
【００１０】
修正位置は、好ましくは、引出しが完全な程度にまで引き出された位置であり、この位置に達する前に引出しの内容物にアクセス可能になるので、この位置には、通常の使用では達しない。
【００１１】
ラックの長さを延ばすレバーが外部から見えないように、噛合するギヤホイールが基本的家具構造の中に遠のくとき、レバーは基本的家具構造の中の下方に枢動することができるように設計されることが好ましい。
【００１２】
本発明について、以下、添付図面を参照しつつ、２つの例示的な実施形態によって、詳細に説明する。
【発明を実施するための最良の形態】
【００１３】
引出し１は、基本的家具構造に対して変位できる差込容器２を備えている。この目的のために、差込容器２は、鏡像反転設計である、左手側部分４と右手側部分５とに案内されている。側部分４及び５には、それぞれ引出しガイドが設けられ、引出しガイドは、静止レール６と、引出し１に固定された引出しレール８と、引出しレール８の半分の速度にて動き、拡張された引出動作を許容する中央レール７とを有し、この場合、引出し２は、基本的家具構造の前方に配置され、側部分４及び５を残している。
【００１４】
引出し１の側部分９には、ギヤホイール１０が回転可能な態様にて取り付けられており、ギヤホイールは、軸４０を介して、反対側のギヤホイール１０に結合されている。ギヤホイール１０は、それぞれ、側部分４又は５におけるラック３０と係合しており、引出し１の２つの側部の走行運動の同期を確保する。
【００１５】
また、引出し１が、側部分４及び５にギヤホイール１０が残された、引出し位置の領域において案内されるために、枢動可能なレバー１１は、ラック３０の長さを拡張するために設けられ、これらのレバーは、ギヤホイール１０と係合したときに、水平位置に枢動して上昇する。枢動可能なレバー１１の領域においては、引出し１のゆがんだ位置を修正することを可能にすべく、ギヤホイール１０とレバー１１との間の係合を解消することが可能である。これは、据え付け中に、又はその他の理由のために、引出し１が、基本的家具構造の前面に対してゆがみ、前面パネル３が基本的家具構造の中に正確に合致しない場合のためである。そして、このゆがんだ位置を修正するために、ギヤホイール１０は、ラック３０及び／又はレバー１１に対して、所望の程度、変位しなければならない。
【００１６】
図２に示すように、ギヤホイール１０は、レバー１１の下側に形成されたラック１２に噛合しており、レバー１１は、軸線１３を中心として枢動できるように、側部分５に取り付けられている。側部分５は、ここでは、支承位置として、回転軸線１３が設けられた、ウェブ状の延長アーム１４に配置されている。ギヤホイール１０が、側部分４及び５の間の基本的家具構造の中に動くと、レバー１１は、重力の結果、下方へ枢動し、基本的家具構造に隠される。ギヤホイール１０が、レバー１１と接触する程度まで、基本的家具構造から引き出されるときにだけ、レバーが、さらに外方へ動く中で、水平位置に枢動する。
【００１７】
ギヤホイール１０がレバー１１のラック１２から係合解除するのを防ぐために、レバー１１の上方の当接体として、摺動要素１５が設けられ、この摺動要素は、側部分９に固定され、従って、常に、ギヤホイール１０の上方の同一の距離に配置される。レバー１１は、不用意に、ギヤホイール１１からさらに上昇し得るよりもむしろ、レバーは、従って、摺動面１６を介して、摺動要素上に案内される。
【００１８】
図３において、引出しは、完全な程度に引き出され、ギヤホイール１０がレバー１１の端部に達するような位置に到達している。また、この位置にある場合、ギヤホイール１０と、レバー１１におけるラック１２との間には、案内が存在する。しかしながら、引出しのゆがんだ位置を補償するために、ギヤホイール１０とラック１２との間の配置を修正することが可能である。
【００１９】
この目的のために、図４に示すように、摺動要素１５は、手動で押し下げられている操作レバー１７によって、枢動されている。従って、摺動要素１５の摺動面は、レバー１１の摺動面１６から係合解除して、この場合に、後者は、若干程度、上方に枢動することができ、ギヤホイール１０の歯と、ラック１２の歯とが係合解除する。この位置において、修正運動の実行を可能にするために、ギヤホイール１０は、１又は複数の歯だけ、ラック１２に対して動くことができる。次に、レバー１１のラックは、再びギヤホイール１０と係合し、摺動要素１５は、摺動面１６に対して押圧されて、さらに変位することを防ぐようにする。
【００２０】
図５〜図８は、本発明の変形実施形態を示しており、同一の要素には同一の参照符号を付している。この例示的な実施形態は、引出しが完全な程度まで引き出された位置において、レバー１１を、ギヤホイール１０から（積極的に案内して）自動的に上昇させるための手段を提供し、従って、いかなる更なる据え付け段階無しに、引出し１のゆがんだ位置を補償することを可能にする。
【００２１】
図５及び図６に示されるように、ギヤホイール１０は、再び、レバー１１に沿って動き、レバーは、引出しが基本的家具構造の前方に引き出された位置にあるとき、変位可能になっていて、案内の目的のために、レバー１１は水平な位置に枢動されている。レバー１１の上方への動きは、ここでは、摺動要素１５’に対して摺動面１６が当接することで回避され、又は、所定の量の遊びが、少なくともレバー１１の上昇動作を回避する。レバー１１には、ペグの形態の駆動体２０が設けられ、このペグは、摺動要素１５’におけるホルダ２１と相互作用して、レバーを終端位置にて上昇させる。
【００２２】
図７に示した位置においては、引出し１が終端位置の直前に配置され、レバー１１の終端領域にて、ギヤホイール１０がラック１２と噛合している。駆動体２０は、摺動要素１５’において、ホルダ２１に導入されている。
【００２３】
引出し１が、基本的家具構造からわずかだけさらに出るように動くと、図８に示した位置に達する。次に、駆動体２０は摺動要素１５’を枢動させ、その結果、ホルダ２１は同様に、駆動体２０を上方へ枢動させ、レバー１１をギヤホイール１０から上昇させる。従って、ギヤホイール１０は、ラック１２に対して自由に動き、位置を修正することが可能になる。
【００２４】
レバー１１とギヤホイール１０との間の係合を解消する目的のために、手動的に又は自動的に操作される、その他の機械的手段を使用することも可能である。対応する摺動要素１５は、枢動可能又は変位可能でよく、加えて、その他の結合手段又は補償手段を設けてもよい。
【図面の簡単な説明】
【００２５】
【図１】本発明の例示的な実施形態による引出しを示した斜視図である。
【図２】図１の引出しの詳細図を示している。
【図３】引出しが完全な程度に引き出されたときの、図１の引出しの詳細図を示している。
【図４】修正位置における、図１の引出しの詳細図を示している。
【図５】第２の例示的な実施形態による引出しを詳細に示した斜視図である。
【図６】修正位置に達する前の、図５の引出しを詳細に示した拡大図である。
【図７】終端位置に達する直前の、図５の引出しを示した詳細図である。
【図８】修正位置における、図５の引出しを示した詳細図である。
【図１】
2009517106.tif 000003
【図２】
2009517106.tif 000004
【図３】
2009517106.tif 000005
【図４】
2009517106.tif 000006
【図５】
2009517106.tif 000007
【図６】
2009517106.tif 000008
【図７】
2009517106.tif 000009
【図８】
2009517106.tif 000010
【国際調査報告】
2009517106.tif 000011
2009517106.tif 000012
2009517106.tif 000013
2009517106.tif 000014